(57)【要約】【課題】ハイドレーションシステムなどの給水機構において、リザーバータンクなどの収容体から引き出されたチューブの先端の給水部を汚れから防護することが可能な保持具を提供する。【解決手段】ホルダー１０は、水が収容される収容体から延びるチューブ１０２の先端に設けられた給水部１０３をショルダーベルト９１に保持するものであり、収容容器１１と、固定具１２とを備える。収容容器１１は、上部に開口２２を有し、開口２２から挿入された給水部１０３を収容するものである。固定具１２は、収容容器１１をショルダーベルト９１に固定するためのベースプレート４１及び係合部４２を有する。【選択図】図１
2016019570.tif 000002
【特許請求の範囲】
【請求項１】
飲料が収容される収容体から延びるチューブの先端に設けられた給水部を帯状体に保持するための保持具であって、
開口を有し、前記開口から挿入された前記給水部を収容する有底筒状の収容容器と、
前記収容容器を前記帯状体に固定するための固定具と、を備える給水部の保持具。
【請求項２】
前記固定具は、前記収容容器を前記帯状体に着脱可能に構成されている請求項１に記載の給水部の保持具。
【請求項３】
前記固定具は、前記帯状体に固定されるベース部と、前記ベース部に対して前記収容容器を着脱可能に係合する係合部と、を有する請求項２に記載の給水部の保持具。
【請求項４】
前記ベース部は、前記帯状体の幅及び／又は前記帯状体に対する取付方向に応じて少なくとも２方向の取り付け位置で固定可能に構成されている請求項３に記載の給水部の保持具。
【請求項５】
前記係合部は、前記収容容器の側壁と前記ベース部とを着脱可能に係合するバックルを有している請求項３又は４に記載の給水部の保持具。
【請求項６】
前記給水部は、前記チューブの先端の供給口を開閉するバルブを有し、
前記収容容器は、可撓性を有する材料で構成されており、前記バルブが前記開口から前記収容容器に収容された状態で前記バルブが前記開口から抜けるのを阻止する抜け止め部が前記収容容器の設けられている請求項１から５のいずれかに記載の給水部の保持具。
【請求項７】
前記帯状体は、リュックサック等の背負いタイプのバッグに付属するショルダーベルト又はストラップであり、前記帯状体の厚み又は幅に対応して取付可能に構成されている請求項１から６のいずれかに記載の給水部の保持具。
【発明の詳細な説明】
【技術分野】
【０００１】
本発明は、ハイドレーションシステムなどの給水機構に含まれるリザーバータンクから引き出されたチューブの先端に設けられた給水部を保持するための保持具に関する。
【背景技術】
【０００２】
従来、リュックサックなどのバッグにリザーバータンクを収容し、そのタンク内の水を適量ずつ給水する給水機構として、所謂ハイドレーションシステムが広く知られている（特許文献１参照）。ハイドレーションシステムは、山歩きやマラソン、トレイルランニングなどの運動をしながらでも、適量の水分を容易に給水することを可能にしたものである。図１１に示す従来のハイドレーションシステム１００は、リザーバータンク１０１と、リザーバータンク１０１から延出されたチューブ１０２と、チューブ１０２の先端に設けられた給水部１０３（マウスピース）とから構成されている。給水部１０３はシリコンなどで構成されたバルブ１０４を有しており、ユーザーは、バルブ１０４を口に含むことで、リザーバータンク１０１をバッグから取り出すことなく給水することができる。
【０００３】
また、従来、ハイドレーションシステムのチューブをリュックサックなどのショルダーベルトやショルダーストラップに保持するための保持具が知られている（特許文献２参照）。
【先行技術文献】
【特許文献】
【０００４】
【特許文献１】特表２００３−５３０２７０号公報
【特許文献２】特開２００６−３３６８０３号公報
【発明の概要】
【発明が解決しようとする課題】
【０００５】
しかしながら、上述のハイドレーションシステムは、給水部が剥き出しであるため、使用時に給水部が汚れるという問題がある。また、バッグを一時的に地面に置いたときに、給水部が地面に触れて汚れるという問題がある。上述の保持具を用いれば、使用時に給水部を一定の位置に保持することが可能であるが、それでも給水部が剥き出しにされた状態であることに変わりはないため、運動中に塵埃などが給水部に付着したり、バッグを降ろしたときに給水部が地面に触れて汚れるという問題を解決できない。
【０００６】
そこで、本発明は前記事情に鑑みてなされたものであり、その目的は、ハイドレーションシステムなどの給水機構において、リザーバータンクなどの収容体から引き出されたチューブの先端の給水部を汚れから防護することが可能な保持具を提供することにある。
【課題を解決するための手段】
【０００７】
本発明の給水部の保持具は、飲料が収容される収容体から延びるチューブの先端に設けられた給水部を帯状体に保持するための保持具であって、収容容器と、固定具とを備える。前記収容容器は、開口を有し、前記開口から挿入された前記給水部を収容する有底筒状の容器である。前記固定具は、前記収容容器を前記帯状体に固定するためのものである。
【０００８】
前記固定具は、前記収容容器を前記帯状体に着脱可能に構成されている。具体的には、前記固定具は、前記帯状体に固定されるベース部と、前記ベース部に対して前記収容容器を着脱可能に係合する係合部と、を有する。前記ベース部は、前記帯状体の幅及び／又は前記帯状体に対する取付方向に応じて少なくとも２方向の取り付け位置で固定可能に構成されている。前記係合部は、例えば、前記ベース部の取り付け位置に応じて前記開口を上方に向けた状態で前記ベース部に係合可能に構成されていることが好ましい。
【０００９】
前記係合部は、前記側壁と前記ベース部とを着脱可能に係合するバックルを有している。これにより、収容容器を帯状体に対して容易に着脱可能である。
【００１０】
前記給水部は、前記チューブの先端の供給口を開閉するバルブを有する。前記収容容器は、可撓性を有する材料で構成されており、前記バルブが前記開口から前記収容容器に収容された状態で前記バルブが前記開口から抜けるのを阻止する抜け止め部が前記収容容器に設けられている。これにより、激しい運動中であっても給水部が収容容器から脱落することが防止される。
【００１１】
前記帯状体は、リュックサック等の背負いタイプのバッグに付属するショルダーベルト又はストラップであり、前記保持具は、前記帯状態の厚み又は幅に対応して前記帯状体に取付可能に構成されている。これにより、様々な厚み又は幅の帯状体に対して前記保持具が好適に用いられる。
【発明の効果】
【００１２】
本発明の保持具によれば、ハイドレーションシステムなどの給水機構において、リザーバータンクなどの収容体から引き出されたチューブの先端の給水部を汚れから防護することが可能である。
【図面の簡単な説明】
【００１３】
【図１】本発明の実施形態に係る保持具がバッグに適用された状態を示す図。
【図２】保持具の構成を示す図。
【図３】保持具が備えるベース部の構成及び取付状態を示す図。
【図４】保持具が備えるベース部の裏面の構成を示す図。
【図５】保持具が備える収容容器の構成を示す図。
【図６】保持具が備える係合部の構成を示す図。
【図７】収容容器に給水部が収容された状態を示す図。
【図８】保持具の変形例を示す図
【図９】本発明の他の実施形態に係る保持具の構成を示す図。
【図１０】本発明の他の実施形態に係る保持具の取付状態を示す図。
【図１１】従来のハイドレーションシステムを示す図。
【発明を実施するための形態】
【００１４】
以下、適宜図面を参照して本発明の実施形態について説明する。なお、以下に説明される実施形態は本発明を具体化した一例にすぎず、本発明の要旨を変更しない範囲で、本発明の実施形態は適宜変更できる。
【００１５】
図１は、本発明の実施形態に係る保持具の一例であるホルダー１０がバッグ９０に装着された状態を示す図である。バッグ９０は、例えば、使用者が背中に背負うようにして保持するリュックサックである。この種のバッグ９０は、山歩きやマラソン、トレイルランニングなどのスポーツや運動を行う際に用いられるものである。バッグ９０は、使用者の両肩に掛けられる帯状のショルダーベルト９１（帯状体）、ショルダーベルト９１の長さを調節するためのショルダーストラップ９２、使用者がバッグを背負った状態で胸部分付近で両方のショルダーベルト９１を水平方向に締め付けるためのチェストハーネス９４などを有する。
【００１６】
使用者は、図９に示す従来のハイドレーションシステム１００（給水機構）をバッグ９０に装備した状態で、ハイドレーションシステム１００を用いて水分を補給する。具体的には、ハイドレーションシステム１００は袋状のリザーバータンク１０１（収容体）を有しており、水（飲料）が収容されたリザーバータンク１０１がバッグ９０内に収容される。そして、リザーバータンク１０１から延出されたチューブ１０２は、バッグ９０の上部から外に引き出されて、図１に示されるように、ショルダーベルト９１側へ更に引き出される。チューブ１０２の先端には概ねＬ字形状の給水部１０３（給水部）が設けられている。給水部１０３には、チューブ１０２の先端の供給口を開閉するバルブ１０４が取り付けられている。使用者は、バッグ９０を背負ったままの状態で、リザーバータンク１０１をバッグ９０から取り出すことなく、チューブ１０２の先端のバルブ１０４を口に含むことにより、リザーバータンク１０１から水を補給することができる。なお、本実施形態では、給水部１０３の形状としてＬ字形状のものを例示するが、給水部１０３は、Ｌ字形状のものに限られず、ストレート形状のものや、湾曲した形状のものなど、様々な形状のものを適用可能である。
【００１７】
本実施形態のホルダー１０は、ハイドレーションシステム１００が適用されたバッグ９０において、給水部１０３をショルダーベルト９１に保持するために用いられるものである。以下、ホルダー１０の構成について詳細に説明する。
【００１８】
図２は、ホルダー１０の構成を示す図である。図２に示されるように、ホルダー１０は、収容容器１１と、固定具１２とを有する。
【００１９】
収容容器１１は、図５に示されるように、底部を有する形状に形成されており、具体的には、断面が半楕円形の筒形状に形成されている。収容容器１１は、例えば、シリコン樹脂などの可撓性を有する樹脂部材で構成された成型品である。収容容器１１の内部は空洞とされており、その内部空間１１２（図７参照）に給水部１０３が収容されるようになっている。収容容器１１は、その上面２１にスリット状の開口２２（抜け止め部）を有する。開口２２は、鋸刃の如くギザギザ形状のスリットである。開口２２は、収容容器１１の内部空間１１２に連通している。なお、本実施形態では、上面２１に開口２２が形成された構成を例示するが、開口２２の位置は上面２１に限られない。また、収容容器１１の材料は樹脂部材に限られず、布製の材料や抗菌作用を生じる材料などであってもよい。
【００２０】
収容容器１１の側壁２３は、内部側に陥没する凹状のくびれ部４６を有する。くびれ部４６は、側壁２３の中央付近に設けられている。くびれ部４６は、左右方向の両方の側壁２３それぞれに形成されている。収容容器１１の裏面１１１（図５（Ｃ）参照）には、後述の係合部４２（係合部）を構成するプラグ部４２Ａが装着される装着部１１Ａが形成されている。図５（Ｃ）に示されるように、装着部１１Ａは、裏面１１１において上下方向へ延びる挿通孔１１Ｂを有する。挿通孔１１Ｂは、裏面１１１に対して扁平な空洞となっており、上方へ向かうにつれて先細り形状に形成されている。挿通孔１１Ｂは、上端及び下端それぞれが開口されており、下端の開口１１Ｄは上端の開口１１Ｃよりも幅広に形成されている。本実施形態では、下端の開口１１Ｄからプラグ部４２Ａが挿入されて開口１１Ｃからストッパー４５が露出される。
【００２１】
また、収容容器１１は、その下部に２つの貫通孔１１Ｅが形成されている。貫通孔１１Ｅは、収容容器１１の下部において左右に一つずつ隔てられて形成されている。各貫通孔１１Ｅは、給水部１０３が挿通できないサイズに形成されている。貫通孔１１Ｅは、収容容器１１の内部に浸入した水分を排出するための水抜き孔としての役割や、通気孔として内部の乾燥を補助する役割を担う。なお、貫通孔１１Ｅの形、位置は上述の構成に限られず、その数も２つに限られない。
【００２２】
なお、本実施形態では、収容容器１１を断面が半楕円形の筒形状としたが、本発明はこれに限られない。給水部１０３を収容可能な内部空間１１２を有し、底部を有するものであれば、収容容器１１の形状は、円柱形状、半円柱形状、楕円形状、直方体形状、袋形状など、如何なる形状であってもかまわない。
【００２３】
固定具１２は、ショルダーベルト９１と収容容器１１とを固定するためのものである。つまり、固定具１２によって、収容容器１１はショルダーベルト９１に固定される。固定具１２は、収容容器１１をショルダーベルト９１に着脱可能なように構成されている。具体的には、図２に示されるように、固定具１２は、ショルダーベルト９１に固定されるベースプレート４１（ベース部）と、ベースプレート４１に対して着脱可能に係合する係合部４２と、を有する。なお、図２（Ａ）、（Ｂ）ではベースプレート４１の詳細構成の図示を省略しており、図２（Ｃ）ではベースプレート４１の図示を省略している。
【００２４】
図３（Ａ）に示されるように、ベースプレート４１は、長方形状に形成された樹脂製の板部材である。ベースプレート４１の短辺（短手方向に延びる端辺）は、ショルダーベルト９１の幅よりも長いサイズとされている。ベースプレート４１の外周縁には、複数の貫通孔４１Ａが形成されている。本実施形態では、１０個の貫通孔４１Ａが形成されている。具体的には、４つの貫通孔４１Ａがベースプレート４１の四隅それぞれに形成されている。また、ベースプレート４１の一対の長辺（長手方向に延びる端辺）の縁部それぞれに、３つの貫通孔４１Ａが形成されている。貫通孔４１Ａは、ベースプレート４１をショルダーベルト９１に固定するためのロックベルト４３が挿通される部分である。ロックベルト４３は、細幅帯状に形成されたものであり、例えば、結束バンドである。本実施形態では、図３（Ａ）に示されるように、ベースプレート４１をショルダーベルト９１に当てた状態で、上側の２つの貫通孔４１Ａにロックベルト４３を通し、ショルダーベルト９１の裏側でロックベルト４３の両端を結合する。また、同様にして、下側の２つの貫通孔４１Ａにロックベルト４３を通し、ショルダーベルト９１の裏側でロックベルト４３の両端を結合する。なお、ロックベルト４３を挿通させる貫通孔４１Ａは任意に選択可能であり、また、固定に使用するロックベルト４３の本数も任意である。したがって、使用者は、ショルダーベルト９１の幅に応じた貫通孔４１Ａを選択することにより、ベースプレート４１をショルダーベルト９１の様々な幅サイズに対応して固定することができる。また、ロックベルト４３は、ベースプレート４１の表面４１０側で結合されてもよい。
【００２５】
本実施形態では、ロックベルト４３として結束バンドを例示するが、ロックベルト４３は前記結束バンドに限られない。両端を合わせて環状に結合可能なものやその他の形状で結合可能に構成されたものであればよい。例えば、ロックベルト４３は、両端に面ファスナーを有するベルトであってもよく、或いは、バックルを備えた長さ調整が可能なベルト又はストラップであってもよい。また、本実施形態では、ベースプレート４１をショルダーベルト９１に固定する固定機構として、ロックベルト４３を例示するが、本発明はこれに限られない。前記固定機構は、ショルダーベルト９１とベースプレート４１とを固定可能な面ファスナーであってもよい。また、前記固定機構は、ベースプレート４１の幅方向の両端に設けられたフックと、このフックに引っ掛けられる帯状の弾性部材（例えばゴム部材やバネ部材など）とにより構成されたものであってもよい。或いは、前記固定機構として、磁石を用いたものも適用可能である。また、前記固定機構として、各種クリップで固定する機構を用いることができ、また、米国のBLADE-TECH Industries製の「ブレードテック・クリップ」、「テックロック・クリップ」、「モールロック」などの各種アタッチメントを利用することも可能である。そのほかに、ＰＡＬＳシステム（Pouch Attachment Ladder System）又はＭＯＬＬＥシステム（MOdular Lightweight Load-carrying Equipment System）と称される公知の固定機構をベースプレート４１の固定に利用してもよい。また、ベースプレート４１をショルダーベルト９１に固定する前記固定機構は、特定の固定機構に限られず、種々のタイプの固定機構が適用可能である。また、前記固定機構に他のタイプの一つ又は複数の固定機構を組み合わせてベースプレート４１をショルダーベルト９１に固定するようにしてもよい。このため、ユーザーは、任意に選択した一つ又は複数種の固定機構を採用することができ、利便性が向上する。
【００２６】
図４の（Ａ）は、ベースプレート４１の裏面４１１側を示す図であり、（Ｂ）はベースプレート４１の側面図であり、（Ｃ）はショルダーベルト９１に装着された状態の側面図である。ここで、図４（Ａ）において、ハッチング部は貫通孔４１Ａを示している。また、図４（Ａ）では、開口４１Ｂの図示が省略されている。図４に示されるように、ベースプレート４１の裏面４１１には、複数の溝４１２が形成されている。本実施形態では、合計で７本の溝４１２が形成されている。各溝４１２は、ベースプレート４１の長手方向及び短手方向に沿って延びている。また、各溝４１２は、裏面４１１において貫通孔４１Ａを通るように形成されている。また、図４（Ａ）に示されるように、ベースプレート４１において、溝４１２と長辺又は短辺と交差する部分に浅い切り欠き４１Ｄが形成されている。このため、図４（Ｃ）に示されるように、切り欠き４１Ｄを利用して、ベースプレート４１をロックベルト４３によってショルダーベルト９１に固定することができる。具体的には、ベースプレート４１とショルダーベルト９１とを合わせた状態で切り欠き４１Ｄを通るようにロックベルト４３を一周させて結合することにより、溝４１２にロックベルト４３とショルダーベルト９１とが食い込む。このように固定された場合に、ロックベルト４３がショルダーベルト９１とともに溝４１２にめり込むようにして入り込む。その結果、上下方向にずれることなく、ベースプレート４１を強固にショルダーベルト９１に固定することができる。なお、貫通孔４１Ａにロックベルト４３を挿通させてベースプレート４１をショルダーベルト９１に固定するようにしてもよい。
【００２７】
ベースプレート４１は、ショルダーベルト９１に対して、ショルダーベルト９１の幅に応じた方向に固定可能である。本実施形態では、ショルダーベルト９１の幅が、ベースプレート４１の短手方向の長さよりも短い場合に、図３（Ａ）に示されるように、ベースプレート４１の短手方向をショルダーベルト９１に交差させるようにベースプレート４１をショルダーベルト９１に固定可能である。また、ショルダーベルト９１の幅が、ベースプレート４１の短手方向の長さよりも長い場合に、図３（Ｂ）に示されるように、ベースプレート４１の長手方向をショルダーベルト９１に交差させるようにベースプレート４１をショルダーベルト９１に固定可能である。
【００２８】
図３（Ａ）に示されるように、ベースプレート４１の中央よりも少し上側に開口４１Ｂが形成されている。開口４１Ｂは概ね正方形状に形成されており、裏面４１１に貫通している。また、ベースプレート４１の一方の長辺には、開口４１Ｂと同じ幅の切り欠き４１Ｃが形成されている。切り欠き４１Ｃは、ベースプレート４１の前記長辺の中央に形成されている。図３（Ａ）に示されるように、短手方向をショルダーベルト９１に交差させるようにベースプレート４１をショルダーベルト９１に固定する際に、開口４１Ｂが用いられる。具体的には、この開口４１Ｂに、後述の係合部４２のソケット部４２Ｂを引っ掛けるようにして取り付けることにより、ホルダー１０が組み立てられる。一方、図３（Ｂ）に示されるように、長手方向をショルダーベルト９１に交差させるようにベースプレート４１をショルダーベルト９１に固定する際に、切り欠き４１Ｃが用いられる。具体的には、この切り欠き４１Ｃに、後述の係合部４２のソケット部４２Ｂを引っ掛けるようにして取り付けることにより、ホルダー１０が組み立てられる。なお、ベースプレート４１へのソケット部４２Ｂの取付方法は上述の取付方法に限られず、ベースプレート４１の向きに応じて取り付け位置を変更できるのであれば、どのような取付方法でも採用可能である。
【００２９】
係合部４２は、ベースプレート４１に対して収容容器１１を着脱可能にするものである。図６に示されるように、係合部４２は、端部に雌型部材であるソケット４２Ｂ１を有するソケット部４２Ｂ（図６（Ｂ）参照）と、雄型部材であるプラグ４２Ａ１を有するプラグ部４２Ａ（図６（Ａ）参照）とから構成されている。ソケット４２Ｂ１とプラグ４２Ａ１とは、対になっており、これらは一対でバックルを構成している。ソケット４２Ｂ１にプラグ４２Ａ１が挿入されると、ソケット４２Ｂ１とプラグ４２Ａ１とが係合して結合される。
【００３０】
なお、本実施形態では、ベースプレート４１に収容容器１１を係合する係合部４２としてバックルを例示するが、本発明はこれに限られない。係合部４２は、ベースプレート４１に対して収容容器１１を着脱可能に係合するものであればよく、所謂ナスカンや吊りカン、レバースナップ、カラビナなどを適用することも可能である。
【００３１】
図６（Ａ）はプラグ部４２Ａを示す図であり、左側が正面図、右側が側面図である。図６（Ａ）に示されるように、プラグ部４２Ａは、板状に形成されたプレート部４２Ａ２を有する。プレート部４２Ａ２は、収容容器１１の装着部１１Ａの挿通孔１１Ｂに挿入可能に構成されており、例えば、挿通孔１１Ｂと同形状、具体的には、一方向（図６（Ａ）において上方向）へ向かって先細り形状に形成されている。図６（Ａ）において下方の下端部には、２つのフック４２Ａ３が設けられている。フック４２Ａ３は、前記下端部から上方へ折り返されて、その先端が上方へ向くように鉤状に形成されている。プレート部４２Ａ２の上端にプラグ４２Ａ１が取り付けられている。本実施形態では、プラグ４２Ａ１側からプラグ部４２Ａが開口１１Ｄ（図５（Ｃ）参照）に挿入される。そして、フック４２Ａ３が開口１１Ｄの縁部に当接するまでプラグ部４２Ａが挿通孔１１Ｂに挿入されると、プラグ４２Ａ１が上方の開口１１Ｃから上側に露出される。この状態で、プラグ部４２Ａのプラグ４２Ａ１がソケット４２Ｂ１に係合される。
【００３２】
図６（Ｂ）はソケット部４２Ｂを示す図であり、左側が正面図、右側が側面図である。図６（Ｂ）に示されるように、ソケット部４２Ｂは、ベースプレート４１に引っ掛けられる凸部４２Ｂ２を有する。凸部４２Ｂ２は、例えば、正方形状である。凸部４２Ｂ２とソケット４２Ｂ１とは一体に形成されている。ソケット４２Ｂ１と凸部４２Ｂ２との間には、下方に開放された係止溝４２Ｂ３が形成されている。ソケット４２Ｂ１は、ベースプレート４１の開口４１Ｂに挿通可能なサイズに形成されている。ソケット４２Ｂ１が開口４１Ｂに挿通された状態でベースプレート４１の長手方向へソケット部４２Ｂがスライドされると、係止溝４２Ｂ３が開口４１Ｂの縁部に係合可能である。また、係止溝４２Ｂ３に切り欠き４１Ｃが挿入された状態でベースプレート４１の短手方向へソケット部４２Ｂがスライドされると、係止溝４２Ｂ３が切り欠き４１Ｃの縁部に係合可能である。本実施形態では、凸部４２Ｂ２が開口４１Ｂ又は切り欠き４１Ｃのいずれに係合される場合であっても、係合された状態でフック４２Ａ３がベースプレート４１の外周縁に引っ掛かるように構成されている。
【００３３】
このように構成されているため、図２（Ａ）に示されるように、ソケット部４２Ｂがベースプレート４１の開口４１Ｂに装着され、また、プラグ部４２Ａが収容容器１１に装着された状態で、ソケット４２Ｂ１にプラグ４２Ａ１を結合させることにより、ホルダー１０が組み立てられる。ホルダー１０の組み立て状態において、図２（Ｂ）に示されるように、プラグ部４２Ａのフック４２Ａ３及びソケット部４２Ｂの係止溝４２Ｂ３は、ベースプレート４１を上下方向に挟んでおり、これにより、収容容器１１がベースプレート４１に強固に取り付けられる。なお、プラグ４２Ａ１がソケット４２Ｂ１に結合された状態でプラグ４２Ａ１のストッパー４５が内側へ撓まされるように操作されると、ストッパー４５がソケット４２Ｂ１のロック穴４４から外れて、プラグ４２Ａ１とソケット４２Ｂ１との結合が解除される。
【００３４】
本実施形態では、ショルダーベルト９１に対するベースプレート４１の取付方向を任意の方向に定めてからロックベルト４３を用いてベースプレート４１をショルダーベルト９１に固定することができる。例えば、図３（Ａ）に示すようにベースプレート４１を固定した場合、ソケット４２Ｂ１は開口４１Ｂに装着されて、そのソケット４２Ｂ１にプラグ４２Ａ１が結合される。一方、図３（Ｂ）に示すようにベースプレート４１を固定した場合、ソケット４２Ｂ１は切り欠き４１Ｃに装着されて、そのソケット４２Ｂ１にプラグ４２Ａ１が結合される。これにより、ホルダー１０は、開口２２を常に上方に向けた状態で、収容容器１１をベースプレート４１とともにショルダーベルト９１に取り付けることができる。
【００３５】
また、収容容器１１は、固定具１２によってショルダーベルト９１に着脱可能にされているため、任意に収容容器１１をショルダーベルト９１から取り外して、洗うことができる。
【００３６】
また、ロックベルト４３が帯状に形成されており、ショルダーベルト９１の身体への接触部分が殆ど平らであるため、使用者がバッグ９０を背負った状態で、ロックベルト４３が使用者の身体に干渉して不快感を与えることが軽減される。
【００３７】
また、収容容器１１がショルダーベルト９１に取り付けられることにより、使用者は、バッグ９０を背負ったままの状態で、給水部１０３を開口２２から収容容器１１の内部に容易に収容することができる。具体的には、使用者は、給水部１０３を開口２２に進入させて、開口２２を広げつつ、給水部１０３の全体を収容容器１１の内部空間１１２に挿入する。収容容器１１は可撓性を有するため、開口２２は、給水部１０３が挿入されるときは変形しつつ給水部１０３を内部に挿通させる。これにより、図７（Ａ）に示されるように、給水部１０３が収容容器１１の内部に収容される。給水部１０３が収容された状態では、給水部１０３は収容容器１１の外周壁に囲まれるため、外部に剥き出しにならない。したがって、使用者がバッグ９０とともにハイドレーションシステム１００を使用している際に、塵埃などが給水部１０３に付着することが防止される。また、使用者がバッグ９０を降ろして地面に置いた場合であっても、給水部１０３が収容容器１１によって保護されているため、給水部１０３が地面に触れて汚れることはない。
【００３８】
給水部１０３が内部に収容されると、広げられた開口２２はチューブ１０２を挿通した状態で狭められる。このため、収容された給水部１０３の引き出し方向に対しては、給水部１０３が開口２２の縁部に引っ掛かるため、抜け止めとして作用する。また、開口２２から収容容器１１内への塵埃の進入を防止することができる。
【００３９】
また、このようにホルダー１０が構成されているため、使用者は、開口２２を通じて給水部１０３を収容容器１１内に片手で簡単に収容することができ、また、取り出すことができる。
【００４０】
なお、開口２２に代えて、収容容器１１は、星形状のスリットのような開口２２Ａ（図８（Ａ）参照）を有するものであってもよい。上述したように、収容容器１１は可撓性を有するため、このような構成であっても、給水部１０３が挿入されるときは、開口２２Ａは広げられつつ給水部１０３を内部に挿通させる。これにより、開口２２Ａは、抜け止めとして作用し、且つ、収容容器１１内への塵埃の進入を防止する役割を担う。
【００４１】
また、前記くびれ部４６は、図７（Ｂ）に示されるように、収容容器１１の内壁に給水部１０３よりも小さいサイズの挿通口を形成するよう構成されていてもよい。上述したように、収容容器１１は可撓性を有するため、給水部１０３が開口２２に挿入されて収容容器１１の底へ向けて押し込まれると、前記挿通口を広げる方向へくびれ部４６を撓ませつつ、前記挿通口を通過する。これにより、給水部１０３が収容容器１１に収容される。そして、給水部１０３の引き出し方向に対しては、給水部１０３がくびれ部４６に引っ掛かり、抜け止めとして作用する。
【００４２】
なお、開口２２に代えて、図８（Ｂ）に示される開口２２Ｂを適用することも可能である。この開口２２Ｂは、上面２１において、長い形状に形成されている。具体的には、開口２２Ｂは、上面２１の一方端に形成された円形状の貫通孔２２Ｂ１と、この貫通孔２２Ｂ１から上面２１の他方端に延びる細幅のスリット２２Ｂ２（抜け止め部）とを有する。貫通孔２２Ｂ１は、給水部１０３及びバルブ１０４が挿通可能なサイズに形成されている。また、スリット２２Ｂ２の幅は、給水部１０３及びバルブ１０４よりも小さいサイズであり、チューブ１０２の外径と概ね同じサイズに形成されている。開口２２Ｂからハイドレーションシステム１００の給水部１０３が挿通されることで、給水部１０３が収容容器１１の内部に収容される。なお、スリット２２Ｂ２の幅が上述したサイズに定められているため、スリット２２Ｂ２は、給水部１０３が開口２２Ｂから収容容器１１の内部に収容された状態で、バルブ１０４とともに給水部１０３が開口２２Ｂから抜けるのを阻止する抜け止め部として作用する。具体的には、給水部１０３が収容容器１１の内部に収容された状態で、スリット２２Ｂ２の縁部が給水部１０３の抜き出し方向に対して給水部１０３又はバルブ１０４を係止する。これにより、給水部１０３が収容容器１１に収容された状態を確実に維持することができる。
【００４３】
なお、開口２２Ｂの形状は、図８（Ｂ）に示される形状に限られない。例えば、上面２１と共に開口２２Ｂが一方向に傾斜したものであってもよい（図８（Ｃ）参照）。傾斜方向としては、図８（Ｃ）に示されるように、チューブ１０２が引っ張られやすい方向、つまり、バッグ９０からチューブ１０２が引き出されている側（図１において紙面の左側）へ斜め上方向であることが好ましい。この構成であれば、引っ張られたチューブ１０２が前記傾斜方向へ移動してスリット２２Ｂ２に入り易くなり、給水部１０３の抜けが効果的に防止される。
【００４４】
また、開口２２に代えて、収容容器１１は、上面２１が大きく開放された開口部（不図示）を有するものであってもよい。この場合は、くびれ部４６の弾性や、収容容器１１の底方向に伸びようとするチューブ１０２の弾性によって、給水部１０３の収容状態の維持と抜け止めが実現される。このような開口部であれば、前記開口部を通じて給水部１０３を収容容器１１内に片手で簡単に収容することができ、また、取り出すことができる。
【００４５】
また、収容容器１１は、くびれ部４６が無いものであってもよい。この場合、収容容器１１の底方向へ延びようとするチューブ１０２の弾性と、スリット状の開口２２における伸縮性のある噛み合わせとが、給水部１０３の収容状態の維持と抜け止めを実現する。
【００４６】
なお、上述の実施形態では、ホルダー１０がバッグ９０のショルダーベルト９１に取り付けられる例について説明したが、本発明はこれに限られない。例えば、チェストハーネス９４などのストラップにホルダー１０が取付可能に構成されていてもよい。このような水平方向に延びるチェストハーネス９４にホルダー１０が取り付けられる場合は、ベースプレート４１は、チェストハーネス９４に対する収容容器１１の取付方向（開口２２を上に向けた状態）に応じて２方向の取り付け位置で固定可能であることが好ましい。
【００４７】
また、収容容器１１が取り付けられるバッグ９０は背負いタイプのものに限られず、ハイドレーションシステム１００を収容可能なバッグ全般に本発明は適用可能である。また、クリップやその他の公知の固定機構を用いて、収容容器１１を衣服に直接に装着することも可能である。
【００４８】
また、上述の実施形態では、ベースプレート４１がショルダーベルト９１の表面に固定された構成を例示したが、ベースプレート４１は、ショルダーベルト９１の内部に介在されたものであってもよい。
【００４９】
また、上述の実施形態では、ベースプレート４１を用いて収容容器１１をショルダーベルト９１に固定する固定具１２を例示したが、本発明はこれに限られない。例えば、ベースプレート４１を用いずに、係合部４２のソケット部４２Ｂをショルダーベルト９１に直接に取り付ける構成であっても良い。この構成では、ベースプレート４１が無いため収容容器１１のホールド状態が悪くなるが、部品点数が少なくて済む。
【００５０】
また、収容容器１１にロックベルト４３を挿通する挿通孔を形成し、その挿通孔にロックベルト４３を挿通するとともにショルダーベルト９１に直接にロックベルト４３で固定する構成であってもよい。この場合、ベースプレート４１及び係合部４２が不要となり、最も簡単な構成で本発明を実現できる。
【００５１】
また、本発明は、図９に示されるように、装着部１１Ａに代えて、裏面１１１に装着部５１を有する収容容器５０を用いる構成のホルダー１０とすることができる。ここで、図９（Ａ）は収容容器５０の三面図である。図９（Ａ）に示されるように、装着部５１は、裏面１１１において上下方向へ延びる挿通孔５２を有する。挿通孔５２は、裏面１１１に対して扁平な空洞となっており、その上端には、２つの貫通孔５４を有する閉塞部５３が設けられている。２つの貫通孔５４は、ロックベルト４３が挿通される部分であり、左右方向に所定間隔を隔てた位置に形成されている。挿通孔５２の下端には閉塞部５３の幅と同じサイズの開口５５が形成されており、この開口５５から後述の接続具６０（図９（Ｂ）参照）が挿通孔５２に挿入される。装着部５１の両側面それぞれには、２つの貫通孔５６が形成されている。２つの貫通孔５６は、ロックベルト４３が挿通される部分であり、上下方向に所定間隔を隔てた位置に形成されている。
【００５２】
装着部５１には、上下方向に延びる２本の溝５７と、左右方向に延びる２本の溝５８とが形成されている。溝５７は、貫通孔５４に対応する位置に形成されており、溝５８は貫通孔５６に対応する位置に形成されている。これらの溝５７，５８は、上述の溝４１２と同様の役割を担うものであり、収容容器５０がショルダーベルト９１に後述の接続具６０及び上述のロックベルト４３で固定される際に、ロックベルト４３がショルダーベルト９１とともに溝５７，５８にめり込むようにして入り込む部分である。
【００５３】
ショルダーベルト９１に対する収容容器５０の固定には、図９（Ｂ）に示される接続具６０と、ロックベルト４３とが用いられる。ここで、図９（Ｂ）は接続具６０の三面図である。接続具６０及びロックベルト４３は、収容容器５０をショルダーベルト９１に固定するための固定具である。接続具６０は、挿通孔５２に挿通されて用いられるものであり、図９（Ｂ）に示されるように、四角形状に形成された樹脂製の板部材である。なお、本実施形態では、長方形状の接続具６０を例示して説明する。接続具６０は、その長手方向（図９（Ｂ）における上下方向）に貫通する２つの貫通孔６１を有しており、また、その短手方向（図９（Ｂ）における左右方向）に貫通する２つの貫通孔６２を有している。接続具６０が挿通孔５２に挿入された状態で、２つの貫通孔６１は２本の溝５７に対応する位置に設けられており、２つの貫通孔６２は２本の溝５８に対応する位置に設けられている。
【００５４】
図１０は、ホルダー１０の収容容器５０をショルダーベルト９１に装着した状態を示す。図１０（Ａ）に示されるように、収容容器５０は、その装着部５１に接続具６０が挿入され、ロックベルト４３が装着部５１の貫通孔５６と接続具６０の貫通孔６２に挿通され、その状態でロックベルト４３によってショルダーベルト９１に固定される。このとき、ロックベルト４３がショルダーベルト９１とともに溝５８にめり込むようにして入り込む。図１０（Ａ）に示すように、仮にショルダーベルト９１が太くて厚い場合は、ロックベルト４３がショルダーベルト９１にめり込み、ショルダーベルト９１が溝５８にめり込む。その結果、上下方向にずれることなく、収容容器５０を強固にショルダーベルト９１に固定することができる。また、図１０（Ｂ）に示されるように、同様にして、細幅のショルダーベルト９１にも収容容器５０を強固に固定することができる。また、図１０（Ｃ）に示されるように、収容容器５０が取り付けられるショルダーベルト９１或いはバッグ９０などの取付面に、上述したＭＯＬＬＥシステムで採用されるＭＯＬＬＥベルト７０（図１０（Ｃ）において左右方向に延びる帯状のベルト）が設けられている場合は、以下のようにして収容容器５０はＭＯＬＬＥベルト７０に固定される。具体的には、収容容器５０は、その挿通孔５２に接続具６０が挿入され、ロックベルト４３が装着部５１の貫通孔５４と接続具６０の貫通孔６１に挿通され、その状態でロックベルト４３によってＭＯＬＬＥベルト７０に固定される。このとき、ロックベルト４３がＭＯＬＬＥベルト７０とともに溝５７にめり込むようにして入り込む。これにより、収容容器５０を強固にＭＯＬＬＥベルト７０に固定できる。なお、収容容器５０をショルダーベルト９１やＭＯＬＬＥベルト７０等に装着するために、ロックベルト４３以外の上述の固定機構を用いることができる。
【符号の説明】
【００５５】
１０：ホルダー  １１，５０：収容容器  １２：固定具  ４１：ベースプレート  ４２：係合部  ２２：開口  ９１：ショルダーベルト  １００：ハイドレーションシステム  １０１：リザーバータンク  １０２：チューブ  １０３：給水部  １０４：バルブ
【図１】
2016019570.tif 000003
【図２】
2016019570.tif 000004
【図３】
2016019570.tif 000005
【図４】
2016019570.tif 000006
【図５】
2016019570.tif 000007
【図６】
2016019570.tif 000008
【図７】
2016019570.tif 000009
【図８】
2016019570.tif 000010
【図９】
2016019570.tif 000011
【図１０】
2016019570.tif 000012
【図１１】
2016019570.tif 000013